(57)【要約】  飲料バッグと該飲料バッグに接続された引き紐と備えた飲料バッグユニットを使用するカップのための蓋において、カップへの取り付けのためのフランジと；前記引き紐がスライド可能に通される開口部を含んだ本体セクションと、ユーザーが引き上げ位置にあるときの前記飲料バッグを絞るおよび／または保持することができるようにするために動作可能な少なくとも１つのウイング部材とを備えた本体ユニットと；を備えている。
2007501743.tif 000002
【特許請求の範囲】
【請求項１】
飲料バッグと該飲料バッグに接続された引き紐とを備えた飲料バッグユニットを使用するカップのための蓋において：
カップへの取り付けのためのフランジと；
前記引き紐がスライド可能に通される開口部を含んだ本体セクションと、該本体セクションにヒンジ接続された少なくとも１つのウイング部材であって、該蓋がカップに嵌め込まれた状態で、ユーザーが引き上げ位置にあるときの前記飲料バッグを絞るおよび／または保持することができるようにするために、ユーザーの親指および／または他の指により動作可能な少なくとも１つのウイング部材と、を備えた本体ユニットと；
を備えていることを特徴とする蓋。
【請求項２】
請求項１に記載の蓋において、
前記本体ユニットは、第１および第２のウイング部材を備えていることを特徴とする蓋。
【請求項３】
請求項１または２に記載の蓋において、
前記フランジは、カップに対して流体密シールをなすように構成されていることを特徴とする蓋。
【請求項４】
請求項１〜３のいずれかに記載の蓋において、
前記開口部は、その中で前記引き紐が自由にスライド可能となるようなサイズとされていることを特徴とする蓋。
【請求項５】
請求項１〜４のいずれかに記載の蓋において、
前記飲料バッグユニットは、前記引き紐に設けられたタブを備え、前記開口部は、前記タブを通すことができるようなサイズとされていることを特徴とする蓋。
【請求項６】
請求項１〜５のいずれかに記載の蓋において、
前記本体セクションは、飲み口を含んでいることを特徴とする蓋。
【請求項７】
請求項１〜５のいずれかに記載の蓋において、
ウイング部材は、飲み口を形成するために動作可能とされていることを特徴とする蓋。
【請求項８】
請求項１〜７のいずれかに記載の蓋において、
少なくとも１つのウイング部材は、前記本体セクションに弾性的にヒンジ接続されていることを特徴とする蓋。
【請求項９】
請求項２に従属する場合の請求項３〜８のいずれかに記載の蓋において、
前記ウイング部材は、前記本体セクションの中央領域にヒンジ接続され、これらウイング部材の動作により、対向し合うようにヒンジ折り曲げされることを特徴とする蓋。
【請求項１０】
請求項１〜９のいずれかに記載の蓋において、
少なくとも１つのウイング部材は、前記ウイング部材の動作でヒンジ折り曲げされるヒンジエレメントと、前記ウイング部材の動作で分断されるミシン目入り接続部とによって、前記本体セクションに取り付けられていることを特徴とする蓋。
【請求項１１】
請求項１〜１０のいずれかに記載の蓋において、
少なくとも１つのウイング部材は、ユーザーの親指および／または他の指を受け入れるように凹んでいることを特徴とする蓋。
【請求項１２】
請求項１〜１１のいずれかに記載の蓋において、
少なくとも１つのウイング部材は、該ウイング部材がヒンジ折り曲げされた構造となった場合に、他の類似のエレメントに係合することができる係合エレメントを備え、前記ウイング部材をヒンジ折り曲げされた構造でロックし、それによって前記飲料バッグを引き上げ位置で保持することを特徴とする蓋。
【請求項１３】
請求項１２に記載の蓋において、
１つのウイング部材の前記係合エレメントは、突出部を備え、他の類似のエレメントは、前記突出部の摩擦係合によってロックを達成する凹所を備えていることを特徴とする蓋。
【請求項１４】
請求項２に従属する場合の請求項１２または１３に記載の蓋において、
前記ウイング部材は、該ウイング部材がヒンジ折り曲げされた構造となった場合に、互いに係合し合う対応する係合エレメントを含み、前記ウイング部材をヒンジ折り曲げされた構造でロックし、それによって前記飲料バッグを引き上げ位置で保持することを特徴とする蓋。
【請求項１５】
請求項１〜１４のいずれかに記載の蓋において、
前記本体ユニットは、前記飲料バッグが引き上げ位置にあるときに該飲料バッグを引き上げ位置で保持するように前記引き紐をロックするための引き紐ロックエレメントを含んでいることを特徴とする蓋。
【請求項１６】
請求項１〜１５のいずれかに記載の蓋において、
前記本体ユニットは、下方縁部が前記フランジに接続された直立壁部材と、該壁部材の上方縁部の内方側へ延びるとともに前記本体セクションおよび前記少なくとも１つのウイング部材を備えた閉塞部材と、を備えていることを特徴とする蓋。
【請求項１７】
請求項１〜１６のいずれかに記載の蓋において、
一体的に形成されていることを特徴とする蓋。
【請求項１８】
請求項１７に記載の蓋において、
プラスチック材料から真空成形されていることを特徴とする蓋。
【請求項１９】
請求項１〜１８のいずれかに記載の蓋において、
前記飲料バッグユニットは、ティーバッグユニットを備えていることを特徴とする蓋。
【発明の詳細な説明】
【技術分野】
【０００１】
本発明は、飲料バッグと該飲料バッグに接続された引き紐とを備えた飲料バッグユニットを使用するためのカップであって、飲料液体中への飲料バッグの浸漬によって飲料製品、特に茶などの煎じ出される飲料製品が得られるカップ、特に使い捨てのカップのための蓋に関するものである。
【背景技術】
【０００２】
飲料製品は、一般に、使い捨てカップでの消費のために供給されており、これらのカップは、しばしば、例えば運ぶときのこぼれを防止するために蓋を備えている。また、飲料製品が熱い製品である場合、蓋は、飲料製品の温度を維持するように作用する。
【０００３】
従来の蓋は、引き紐が蓋とカップとの間を通らなければならず、したがって、通常は蓋によって提供されるシールが損なわれ、所定の濃度の飲料製品を得る上で飲料バッグを取り出すためには蓋の取り外しが必要となるので、飲料バッグユニットの使用のためには不適当である。
【０００４】
最近では、引き紐が通される十字形状のスリットを含む蓋が、ティーバッグの使用のために開発されており、所定の煎じ出しに続いて、スリットを通して引き紐を引き上げることにより、ティーバッグをスリット内へ引き上げて捕らえることができるようになっている。
【０００５】
しかしながら、この蓋は、依然としていくつかの不具合を有している。特に、スリットが開口部を呈していないことを除いて針の穴への糸通しに類似するスリットへの引き紐の通しが特に困難であり、かつ、ユーザーがティーバッグを引き上げることができるように引き紐に設けられたタブが通しに続いて引き紐に取り付けられなければならない、という両方の理由により、引き紐は、予め通されていなければならない。加えて、引き紐がスリット内に密に嵌り込むので、必要に応じて濃い煎じ出しを得るためにティーバッグを飲料中に繰り返し浸すことができない。さらにまた、ティーバッグをスリット内に強制的に引き上げることを必要とする際には、ティーバッグがスリットの鋭利な縁部によって裂けるおそれがあって、カップ内への望ましくない茶葉の漏出につながり、また、引き紐がティーバッグから切り離されるおそれさえあり、これはティーバッグがスリット内に捕らえられる前に生じるかもしれず、ティーバッグがカップ内に残留したままとなって過度に煎じ出された茶を提供することにつながる。
【発明の開示】
【発明が解決しようとする課題】
【０００６】
したがって、本発明の狙いは、飲料バッグユニットの使用のための改良された蓋を提供することであり、特に、飲料バッグユニットの引き紐を蓋に容易に取り付けることができるようにし、かつ、飲料バッグユニットの飲料バッグを所定の濃度の飲料製品を得る上で絞って飲料製品から離して保持することができるようにする蓋を提供することである。
【課題を解決するための手段】
【０００７】
したがって、本発明は、飲料バッグと該飲料バッグに接続された引き紐とを備えた飲料バッグユニットを使用するカップのための蓋において：カップへの取り付けのためのフランジと；前記引き紐がスライド可能に通される開口部を含んだ本体セクションと、該本体セクションにヒンジ接続された少なくとも１つのウイング部材であって、該蓋がカップに嵌め込まれた状態で、ユーザーが引き上げ位置にあるときの前記飲料バッグを絞るおよび／または保持することができるようにするために、ユーザーの親指および／または他の指により動作可能な少なくとも１つのウイング部材と、を備えた本体ユニットと；を備えている蓋を提供する。
【０００８】
好ましくは、前記蓋は、ユーザーの親指および他の１つ以上の指により動作可能な第１および第２のウイング部材を備えている。
【０００９】
好ましくは、前記フランジは、カップに対して流体密シールをなすように構成されている。
【００１０】
好ましくは、前記開口部は、その中で前記引き紐が自由にスライド可能となるようなサイズとされている。
【００１１】
好ましくは、前記飲料バッグユニットは、前記引き紐に設けられたタブを備え、前記開口部は、前記タブを通すことができるようなサイズとされている。
【００１２】
好ましくは、前記本体セクションは、飲み口を含んでいる。しかしながら、代替的に、前記ウイング部材のうちの１つの動作によって飲み口が形成されてもよい。
【００１３】
好ましくは、前記少なくとも１つのウイング部材は、前記本体セクションに弾性的にヒンジ接続されている。
【００１４】
１つの実施例において、２つのウイング部材が存在し、該ウイング部材は、前記本体セクションの中央領域にヒンジ接続され、これらウイング部材の動作により、対向し合うようにヒンジ折り曲げされる。
【００１５】
好ましくは、少なくとも１つのウイング部材は、前記ウイング部材の動作でヒンジ折り曲げされるヒンジエレメントと、前記ウイング部材の動作で分断されるミシン目入り接続部とによって、前記本体セクションに取り付けられている。
【００１６】
好ましくは、少なくとも１つのウイング部材は、ユーザーの親指および／または他の指を受け入れるように凹んでいる。
【００１７】
１つの実施例において、少なくとも１つのウイング部材は、前記飲料バッグの絞りの後に該ウイング部材がヒンジ折り曲げされた構造となった場合に、他の類似のエレメントに係合することができる係合エレメントを備え、前記ウイング部材をヒンジ折り曲げされた構造でロックし、それによって前記飲料バッグを引き上げ位置で保持する。
【００１８】
好ましくは、１つのウイング部材の前記係合エレメントは、突出部を備え、他の類似のエレメントは、前記突出部の摩擦係合によってロックを達成する凹所を備えている。
【００１９】
好ましくは、第１および第２のウイング部材が存在し、該ウイング部材は、前記飲料バッグの絞りの後に該ウイング部材がヒンジ折り曲げされた構造となった場合に、互いに係合し合う対応する係合エレメントを含み、前記ウイング部材をヒンジ折り曲げされた構造でロックし、それによって前記飲料バッグを引き上げ位置で保持する。
【００２０】
他の実施例において、前記本体ユニットは、前記飲料バッグが引き上げ位置にあるときに該飲料バッグを引き上げ位置で保持するように前記引き紐をロックするための引き紐ロックエレメントを含んでいる。
【００２１】
好ましくは、前記本体ユニットは、下方縁部が前記フランジに接続された直立壁部材と、該壁部材の上方縁部の内方側へ延びるとともに前記本体セクションおよび前記少なくとも１つのウイング部材を備えた閉塞部材と、を備えている。
【００２２】
好ましくは、前記蓋は、一体的に形成されている。
【００２３】
より好ましくは、前記蓋は、プラスチック材料から真空成形されている。
【００２４】
１つの実施例において、前記飲料バッグユニットは、ティーバッグユニットを備えている。
【００２５】
以下、本発明の好ましい実施例を、単なる例として添付図面を参照しつつ説明する。
【発明を実施するための最良の形態】
【００２６】
蓋３は、フランジ５およびカップの接続部での漏出を防止するため、飲料製品を収容する頂部が開いたカップの上方縁に密にシールを形成しつつ嵌り込むように、この実施例では寸法設定されて構成された環状フランジ５と、該フランジ５に一体的に形成されてカップを取り囲む本体ユニット７と、を備えている。
【００２７】
この実施例において、蓋３は、飲料製品に応じて決定される材料であるプラスチック材料から形成されている。好ましい実施例において、蓋３は、真空成形される。
【００２８】
この実施例において、本体ユニット７は、フランジ５に下方縁部が形成された環状壁部材９と、ここではフランジ５と略平行な壁部材９の上方縁部の内方側へ延びてカップを取り囲む閉塞部材１１と、を備えている。
【００２９】
この実施例において、壁部材９は、以下で明らかなように、飲料バッグユニットの飲料バッグを満杯のカップに収容された飲料製品から離して、あるいは少なくとも実質的に離して保持することができるような高さを有している。
【００３０】
閉塞部材１１は、本体セクション１５と、この実施例では弾性を有する接続部とされるそれぞれのヒンジ２０に関して、本体セクション１５にヒンジ接続可能な第１および第２のウイング部材１７、１９と、を備えており、以下でより詳細に説明されるように、ユーザーが、飲料製品から引き上げられたときの飲料バッグを絞り、かつ、元のままであった場合のさらなる煎じ出しを防止するために飲料バッグを飲料製品から引き上げられた位置で保持することができるようにしている。この実施例において、それぞれのヒンジ２０以外の位置での本体セクション１５へのウイング部材１７、１９の接続部は、ミシン目入り接続部２１によるものであり、該接続部２１は、ユーザーによるウイング部材１７、１９の動作で分断される。
【００３１】
本体セクション１５は、この実施例ではその中央に、飲料バッグユニットの引き紐が通されるスロット２２を含んでいる。この実施例において、スロット２２は、引き紐のタブをそこに通すことができるように構成されている。この構造は、有利には、製造時あるいはサービスポイントで必要となる限りのいずれにおいても、飲料バッグユニットを蓋３に取り付けることができるようになっている。また、引き紐が自由にスライドするようにスロット２２内へ嵌め込まれている結果として、ユーザーは、濃い煎じ出しが必要となる場合に飲料バッグを飲料液体中に繰り返し浸すことができる。
【００３２】
本体セクション１５は、その１つの縁部に、ユーザーがカップに収容された飲料製品を飲むための飲み口２３をさらに含んでいる。
【００３３】
１つの実施例において、例えば飲料製品が熱い製品である場合、本体セクション１５は、このことを警告する注意書きを含むことができ、この注意書きは、蓋３を真空成形する場合に本体セクション１５に真空成形することができる。
【００３４】
ウイング部材１７、１９は、この実施例では本体セクション１５の中央領域にヒンジ接続されており、これらの動作により、ウイング部材１７、１９は、対向し合うようにヒンジ折り曲げされ、その間に配置されたときの飲料バッグを取り囲む。この実施例において、ウイング部材１７、１９は、典型的には親指および人差し指である、親指および他の１つ以上の指を受け入れるために凹んでおり、飲料バッグを絞る動作を可能にしている。
【００３５】
ウイング部材１７、１９は、該ウイング部材１７、１９がヒンジ折り曲げされた構造となった場合に互いに係合し合う対応する係合エレメント２５、２７を含んでおり、ウイング部材１７、１９をヒンジ折り曲げされた構造でロックし、それによって飲料バッグを絞りに続いて引き上げ位置で保持するようになっている。この実施例において、一方の第１のウイング部材１７上の係合エレメント２５は、突出部を備え、他方の第２のウイング部材１９上の係合エレメント２７は、突出部の摩擦係合によってロックを達成する凹所を備えている。
【００３６】
この実施例において、係合エレメント２５、２７は、ウイング部材１７、１９の端部の中央に配置されている。他の実施例において、係合エレメント２５、２７は、例えば中央から離れるように、飲料バッグの構成に応じた任意の構造として配置されることができる。
【００３７】
飲料バッグユニット３３に関する蓋３の代表的な動作を、添付図面の図７（ａ）〜（ｃ）を参照しつつ例として説明する。
【００３８】
飲料バッグユニット３３は、飲料材料を収容する飲料バッグ３５と、飲料バッグ３５に接続された引き紐３７と、ユーザーが飲料バッグユニット３３を取り扱うことができるように引き紐３７に設けられたタブ３８と、を備えている。本発明は、例えば茶および香料を含んだ任意のバッグ状飲料製品に関する用途を有していることが理解される。また、飲料液体は、熱くても冷たくてもよく、例えばミルクのような水以外のものであってもよい。説明の目的のため、蓋３の動作を、湯によって煎じ出されるティーバッグユニットに関して説明する。
【００３９】
カップ３９は、まず、この実施例では湯とされる飲料液体４１で満たされる。
【００４０】
この実施例ではティーバッグユニットとされる飲料バッグユニット３３は、それから、タブ３８を本体セクション１５のスロット２２に通すことによって蓋３に取り付けられる。１つの実施例において、蓋３は、既にそこに通された飲料バッグユニット３３を有して供給されることができる。
【００４１】
図７（ａ）に示されるように、蓋３はそれからカップ３９の縁に固定され、それと同時に飲料バッグ３５が飲料液体４１中に落ちる。ユーザーは、それから、必要に応じて所定の濃度の飲料製品を得るために飲料バッグ３５を浸すことができる。
【００４２】
所定の濃度の飲料製品を得る上で、ユーザーは、タブ３８を引き上げることによって飲料バッグを引き上げ、図７（ｂ）に示されるように、ウイング部材１７、１９を動作させて、まず飲料バッグ３５から残留した飲料液体を絞り、続いて、図７（ｃ）に示されるように、ウイング部材１７、１９をそれらの係合部材２５、２７の相互係合を通じてロックされた構造にロックすることにより、飲料バッグ３５を飲料製品から離して保持し、さらなる煎じ出しを防止する。
【００４３】
１つの変更例において、図８に示されるように、本体セクション１５におけるウイング部材１７、１９およびスロット２２を、蓋３の中央から飲み口２３とは反対方向にオフセットさせることができる。この構造は、蓋３の固定されたカップを、より大きな角度で傾けることができるようにする。
【００４４】
蓋１０３は、フランジ１０５およびカップの接続部での漏出を防止するため、飲料製品を収容する頂部が開いたカップの上方縁に密にシールを形成しつつ嵌り込むように、この実施例では寸法設定されて構成された環状フランジ１０５と、該フランジ１０５に一体的に形成されてカップを取り囲む本体ユニット１０７と、を備えている。
【００４５】
この実施例において、蓋１０３は、飲料製品に応じて決定される材料であるプラスチック材料から形成されている。好ましい実施例において、蓋１０３は、真空成形される。
【００４６】
この実施例において、本体ユニット１０７は、フランジ１０５に下方縁部が形成された環状壁部材１０９と、ここではフランジ１０５と略平行な壁部材１０９の上方縁部の内方側へ延びてカップを取り囲む閉塞部材１１１と、を備えている。
【００４７】
この実施例において、壁部材１０９は、以下で明らかなように、飲料バッグユニットの飲料バッグを満杯のカップに収容された飲料製品から離して、あるいは少なくとも実質的に離して保持することができるような高さを有している。
【００４８】
閉塞部材１１１は、本体セクション１１５と、この実施例では弾性を有する接続部とされるそれぞれのヒンジ１２０に関して、本体セクション１１５にヒンジ接続可能な第１および第２のウイング部材１１７、１１９と、を備えており、ユーザーが、飲料製品から引き上げられたときの飲料バッグを絞ることができるようにしている。この実施例において、それぞれのヒンジ１２０以外の位置での本体セクション１１５へのウイング部材１１７、１１９の接続部は、ミシン目入り接続部１２１によるものであり、該接続部１２１は、ユーザーによるウイング部材１１７、１１９の動作で分断される。
【００４９】
本体セクション１１５は、この実施例ではその中央に、飲料バッグユニットの引き紐が通されるスロット１２２を含んでいる。この実施例において、スロット１２２は、引き紐のタブをそこに通すことができるように構成されている。この構造は、有利には、製造時あるいはサービスポイントで必要となる限りのいずれにおいても、飲料バッグユニットを蓋１０３に取り付けることができるようになっている。また、引き紐が自由にスライドするようにスロット１２２内へ嵌め込まれている結果として、ユーザーは、濃い煎じ出しが必要となる場合に飲料バッグを飲料液体中に繰り返し浸すことができる。
【００５０】
本体セクション１１５は、その１つの縁部に、ユーザーがカップに収容された飲料製品を飲むための飲み口１２３をさらに含んでいる。
【００５１】
１つの実施例において、例えば飲料製品が熱い製品である場合、本体セクション１１５は、このことを警告する注意書きを含むことができ、この注意書きは、蓋１０３を真空成形する場合に本体セクション１１５に真空成形することができる。
【００５２】
ウイング部材１１７、１１９は、この実施例では本体セクション１１５の中央領域にヒンジ接続されており、これらの動作により、ウイング部材１１７、１１９は、対向し合うようにヒンジ折り曲げされ、その間に配置されたときの飲料バッグを取り囲む。この実施例において、ウイング部材１１７、１１９は、典型的には親指および人差し指である、親指および他の１つ以上の指を受け入れるために凹んでおり、飲料バッグを絞る動作を可能にしている。
【００５３】
本体セクション１１５は、この実施例では本体セクション１１５に一体的に形成された弾性を有するタブとされて、そこに位置する引き紐をロックするように作用する引き紐ロックエレメント１２５をさらに含んでおり、以下でより詳細に説明されるように、元のままであった場合のさらなる更なる煎じ出しを防止するために、飲料バッグを飲料製品から引き上げられた位置で保持することができるようにしている。
【００５４】
飲料バッグユニット１３３に関する蓋１０３の代表的な動作を、添付図面の図１３（ａ）〜（ｃ）を参照しつつ例として説明する。
【００５５】
飲料バッグユニット１３３は、飲料材料を収容する飲料バッグ１３５と、飲料バッグ１３５に接続された引き紐１３７と、ユーザーが飲料バッグユニット１３３を取り扱うことができるように引き紐１３７に設けられたタブ１３８と、を備えている。本発明は、例えば茶および香料を含んだ任意のバッグ状飲料製品に関する用途を有していることが理解される。また、飲料液体は、熱くても冷たくてもよく、例えばミルクのような水以外のものであってもよい。説明の目的のため、蓋１０３の動作を、湯によって煎じ出されるティーバッグユニットに関して説明する。
【００５６】
カップ１３９は、まず、この実施例では湯とされる飲料液体１４１で満たされる。
【００５７】
この実施例ではティーバッグユニットとされる飲料バッグユニット１３３は、それから、タブ１３８を本体セクション１１５のスロット１２２に通すことによって蓋１０３に取り付けられる。１つの実施例において、蓋１０３は、既にそこに通された飲料バッグユニット１３３を有して供給されることができる。
【００５８】
図１３（ａ）に示されるように、蓋１０３はそれからカップ１３９の縁に固定され、それと同時に飲料バッグ１３５が飲料液体１４１中に落ちる。ユーザーは、それから、必要に応じて所定の濃度の飲料製品を得るために飲料バッグ１３５を浸すことができる。
【００５９】
所定の濃度の飲料製品を得る上で、ユーザーは、タブ１３８を引き上げることによって飲料バッグを引き上げ、図１３（ｂ）に示されるように、この実施例では引き紐１３７を引き紐ロックエレメント１２５の下に係合させて、引き紐１３７を引き紐ロックエレメント１２５にロックすることにより、飲料バッグ１３５を飲料製品から離して保持し、さらなる煎じ出しを防止する。
【００６０】
ユーザーは、それから、図１３（ｃ）に示されるように、ウイング部材１１７、１１９を動作させて、飲料バッグ１３５から残留した飲料液体を絞る。
【００６１】
最後に、本発明は、その好ましい実施例で説明されているものの、添付の請求項によって規定されているように、本発明の範囲から逸脱することなく多くの異なる方法で変更可能であることが理解される。
【００６２】
例えば、１つの変更例において、カップの盛り高さを、本体ユニット７，１０７が環状壁部材９、１０９を含む必要がないようにすることができる。
【００６３】
他の変更例において、一部のユーザーが煎じ出しに続いて飲料バッグユニットの取り付けられた蓋３、１０３を取り外し、それによってカップから直接飲むことを好むかもしれないために、飲み口２３、１２３を省略することができる。あるいは、飲み口が、ウイング部材の動作によって形成されてもよい。
【００６４】
さらなる変更において、蓋３、１０３は、特に冷たい飲料に適したストローを使用することができるように、破断可能な開口部を含むことができる。
【図面の簡単な説明】
【００６５】
【図１】本発明の第１の実施例による蓋の斜視図である。
【図２】図１の蓋の側面図である。
【図３】図１の蓋の上面図である。
【図４】図１の蓋の下面図である。
【図５】図１の蓋の（Ｉ−Ｉ断面に沿った）断面斜視図である。
【図６】図１の蓋の（Ｉ−Ｉ断面に沿った）断面側面図である。
【図７ａ】飲料バッグユニットに関する図１の蓋の動作を示す図である。
【図７ｂ】飲料バッグユニットに関する図１の蓋の動作を示す図である。
【図７ｃ】飲料バッグユニットに関する図１の蓋の動作を示す図である。
【図８】図１の蓋の変更例としての蓋の上面図である。
【図９】本発明の第２の実施例による蓋の上面図である。
【図１０】図９の蓋の一の側面図である。
【図１１】図９の蓋の他の側面図である。
【図１２】図９の蓋の（ＩＩ−ＩＩ断面に沿った）断面側面図である。
【図１３ａ】飲料バッグユニットに関する図８の蓋の動作を示す図である。
【図１３ｂ】飲料バッグユニットに関する図８の蓋の動作を示す図である。
【図１３ｃ】飲料バッグユニットに関する図８の蓋の動作を示す図である。
【符号の説明】
【００６６】
３  蓋
５  フランジ
７  本体ユニット
９  壁部材
１１  閉塞部材
１５  本体セクション
１７、１９  ウイング部材
２０  ヒンジ
２１  ミシン目入り接続部
２２  スロット
２３  飲み口
２５、２７  係合エレメント
３３  飲料バッグユニット
３５  飲料バッグ
３７  引き紐
３８  タブ
３９  カップ
４１  飲料液体
１０３  蓋
１０５  フランジ
１０７  本体ユニット
１０９  壁部材
１１１  閉塞部材
１１５  本体セクション
１１７、１１９  ウイング部材
１２０  ヒンジ
１２１  ミシン目入り接続部
１２２  スロット
１２３  飲み口
１２５  引き紐ロックエレメント
１３３  飲料バッグユニット
１３５  飲料バッグ
１３７  引き紐
１３８  タブ
１３９  カップ
１４１  飲料液体
【図１】
2007501743.tif 000003
【図２】
2007501743.tif 000004
【図３】
2007501743.tif 000005
【図４】
2007501743.tif 000006
【図５】
2007501743.tif 000007
【図６】
2007501743.tif 000008
【図７（ａ）】
2007501743.tif 000009
【図７（ｂ）】
2007501743.tif 000010
【図７（ｃ）】
2007501743.tif 000011
【図８】
2007501743.tif 000012
【図９】
2007501743.tif 000013
【図１０】
2007501743.tif 000014
【図１１】
2007501743.tif 000015
【図１２】
2007501743.tif 000016
【図１３（ａ）】
2007501743.tif 000017
【図１３（ｂ）】
2007501743.tif 000018
【図１３（ｃ）】
2007501743.tif 000019
【国際調査報告】
2007501743.tif 000020
2007501743.tif 000021